(57)【特許請求の範囲】
【請求項１】
コンテンツを記憶するコンテンツ記憶手段と、
機器を特定する識別情報と当該識別情報の種別の対応関係を記憶した識別情報種別記憶手段と、
ログ情報を記憶するログ情報記憶手段と、
外部のＩＣチップに対してポーリングを行い近接した前記ＩＣチップと無線によるデータの送受信を行う無線通信手段と、
外部から受信した識別情報により識別情報種別記憶手段を参照し、対応する識別情報の種別に応じて設定モード、情報取得モード、通常配信モードのいずれかにモードの切替を行うモード切替手段と、
前記設定モードである場合に、前記無線通信手段により受信したコンテンツを前記コンテンツ記憶手段に格納するコンテンツ登録手段と、
前記通常配信モードである場合に、前記無線通信手段により受信した識別情報に応じて、前記コンテンツ記憶手段に記憶されたコンテンツを前記無線通信手段に出力するコンテンツ出力手段と、
前記情報取得モードである場合に、前記無線通信手段により受信した識別情報に応じて、前記ログ情報記憶手段に記憶されたログ情報を前記無線通信手段に出力するログ情報出力手段と、
を有することを特徴とするコンテンツ配信装置。
【請求項２】
前記コンテンツは画像ファイル、音楽ファイル、図形データ、スケジュールデータ、電話帳データ、プログラムのいずれかもしくは複数の組み合わせであることを特徴とする請求項１に記載のコンテンツ配信装置。
【請求項３】
コンテンツを記憶するコンテンツ記憶手段と、機器を特定する識別情報と当該識別情報の種別の対応関係を記憶した識別情報種別記憶手段と、ログ情報を記憶するログ情報記憶手段と、外部のＩＣチップに対してポーリングを行い近接した前記ＩＣチップと無線によるデータの送受信を行う無線通信手段を有するコンテンツ配信装置の管理を、識別情報を記憶した複数のカードを用いて行う方法であって、
前記無線通信手段が前記カードから識別情報を受信する段階と、
前記受信した識別情報により前記識別情報種別記憶手段を参照し、当該識別情報の種別に応じて設定モード、情報取得モード、通常配信モードのいずれかにモードの切替を行う段階と、
前記設定モードである場合に、前記無線通信手段により受信したコンテンツを前記コンテンツ記憶手段に格納する段階と、
前記通常配信モードである場合に、前記無線通信手段により受信した識別情報に応じて、前記コンテンツ記憶手段に記憶されたコンテンツを前記無線通信手段に出力する段階と、
前記情報取得モードである場合に、前記無線通信手段により受信した識別情報に応じて、前記ログ情報記憶手段に記憶されたログ情報を前記無線通信手段に出力する段階と、
を有することを特徴とするコンテンツ配信装置の管理方法。
【発明の詳細な説明】
【技術分野】
【０００１】
本発明は、ネットワーク接続されていないコンテンツ配信装置において、配信用コンテンツの格納、アクセスログの取得を行うための技術に関する。
【背景技術】
【０００２】
携帯電話の普及や通信技術の発達に伴い、携帯電話機等の携帯型端末を利用して、インターネットにアクセスし、所定の情報を取得することが可能になってきている。しかし、事業者が展示物などと組み合わせて、対応する情報を利用者の携帯型端末に配信しようとする場合、展示物の設置場所付近に通信インフラが整っていないと、情報を配信することができなかった。
【０００３】
これに対して、アドレス情報提供装置から携帯型端末にアドレス情報を送信することにより、通信インフラが整っていない場所においても、インターネットにアクセスし、所定の情報を取得する技術が提案されている（特許文献１参照）。また、最近では、画像蓄積機能および画像配信機能を備え、通信ネットワークを介することなく、格納されている画像ファイルを携帯端末に直接送信するＦＡＬＰ（ＦｅｌｉＣａ（登録商標）  Ａｄ−ｈｏｃ  Ｌｉｎｋ  Ｐｒｏｔｏｃｏｌ）という技術も提案されている。ＦＡＬＰとは、ＦｅｌｉＣａ２．０で追加された仕様であり、この技術を用いた画像配信装置によれば、接近したＦｅｌｉＣａＩＣチップを有する機器へ画像ファイルを送信することが可能となる。
【先行技術文献】
【特許文献】
【０００４】
【特許文献１】特許第４２７２３９５号
【発明の概要】
【発明が解決しようとする課題】
【０００５】
しかしながら、上記特許文献１に記載の技術では、アドレス情報を受信した携帯型端末は、そのアドレス情報を利用してインターネット上のサーバにアクセスする必要があるため、通信料がかかるという問題がある。また、上記ＦＡＬＰでは、そのような通信料の問題は解決するが、配信用の画像ファイル等のコンテンツを画像配信装置に蓄積したり、アクセスログを取得したりする作業が煩雑であるという問題がある。
【０００６】
そこで、本発明は、コンテンツ蓄積機能およびコンテンツ配信機能を備え、ネットワーク接続されていないコンテンツ配信装置であって、配信用のコンテンツを蓄積する作業、アクセスログを取得する作業を容易に行うことが可能なコンテンツ配信装置、およびその管理方法を提供することを課題とする。
【課題を解決するための手段】
【０００７】
上記課題を解決するため、本発明では、コンテンツを記憶するコンテンツ記憶手段と、機器を特定する識別情報と当該識別情報の種別の対応関係を記憶した識別情報種別記憶手段と、ログ情報を記憶するログ情報記憶手段と、外部のＩＣチップに対してポーリングを行い近接した前記ＩＣチップと無線によるデータの送受信を行う無線通信手段と、外部から受信した識別情報により識別情報種別記憶手段を参照し、対応する識別情報の種別に応じて設定モード、情報取得モード、通常配信モードのいずれかにモードの切替を行うモード切替手段と、前記設定モードである場合に、前記無線通信手段により受信したコンテンツを前記コンテンツ記憶手段に格納するコンテンツ登録手段と、前記通常配信モードである場合に、前記無線通信手段により受信した識別情報に応じて、前記コンテンツ記憶手段に記憶されたコンテンツを前記無線通信手段に出力するコンテンツ出力手段と、前記情報取得モードである場合に、前記無線通信手段により受信した識別情報に応じて、前記ログ情報記憶手段に記憶されたログ情報を前記無線通信手段に出力するログ情報出力手段を有するコンテンツ配信装置を提供する。
【０００８】
本発明によれば、画像ファイル等のコンテンツを記憶するとともに、識別情報（ＦｅｌｉＣａにおけるＩＤｍ）とその種別の対応関係を記憶しておき、無線により外部から受信した識別情報に対応する種別を特定し、対応する種別に応じて設定モード、情報取得モードのいずれかにモードの切替を行い、設定モードである場合には、受信したコンテンツをコンテンツ記憶手段に格納し、設定モード、情報取得モード以外のモードである通常配信モードである場合に、受信した識別情報に応じてコンテンツを出力し、情報取得モードである場合に、受信した識別情報に応じてログ情報を出力するようにしたので、ネットワーク接続を不要とするコンテンツ配信装置において、配信用のコンテンツを蓄積する作業、アクセスログを取得する作業を容易に行うことが可能となる。
【発明の効果】
【０００９】
本発明によれば、ネットワーク接続を不要とするコンテンツ配信装置において、配信用のコンテンツを蓄積する作業、アクセスログを取得する作業を容易に行うことが可能となる。
【図面の簡単な説明】
【００１０】
【図１】本発明に係るコンテンツ配信装置の構成図である。
【図２】本発明に係るコンテンツ配信装置が有する複数のモードの概略図である。
【図３】本発明に係るコンテンツ配信装置におけるモード切替のフローチャートである。
【図４】本発明に係るコンテンツ配信装置で記録されるログ情報の一例を示す図である。
【図５】本発明に係るコンテンツ配信装置の設定モードにおけるフローチャートである。
【図６】本発明に係るコンテンツ配信装置の情報取得モードにおけるフローチャートである。
【発明を実施するための形態】
【００１１】
（１．装置構成）
以下、本発明の好適な実施形態について図面を参照して詳細に説明する。図１は、本発明に係るコンテンツ配信装置の一実施形態における構成図である。図１に示すように、本実施形態におけるコンテンツ配信装置１０は、ＦｅｌｉＣａ通信制御機能、ＦＡＬＰ制御機能を備えており、ＦｅｌｉＣａＩＣチップを備えたモード切替用ＩＣカード２０と、ＦｅｌｉＣａＩＣチップを備えた携帯型端末３０との近距離無線通信が可能に構成されている。
【００１２】
コンテンツ配信装置１０は、プログラムを記憶するプログラム記憶装置１１と、データを記憶するデータ記憶装置１２と、コンテンツ配信装置１０全体の制御を行うＣＰＵ１３と、作業用のＲＡＭであるメモリ１４と、ＣＰＵ１３とアンテナ１６間でＡ／Ｄ変換を行うＲ／Ｗ（リーダライタ）１５と、アンテナ１６と、時刻情報を記憶する時刻用メモリ１７を有している。Ｒ／Ｗ（リーダライタ）１５と、アンテナ１６により外部との通信を行う無線通信手段を構成している。
【００１３】
プログラム記憶装置１１は、ＣＰＵ１３により実行されるプログラムを記憶した記憶手段である。データ記憶装置１２は、配信対象となる画像ファイル、ＦｅｌｉＣａＩＣチップを特定するＩＤｍの種別を記憶した記憶手段である。プログラム記憶装置１１、データ記憶装置１２、時刻用メモリ１７は、不揮発性の記憶装置であれば、どのようなものであっても良いが、本実施形態ではフラッシュメモリを採用している。また、プログラム記憶装置１１、データ記憶装置１２、時刻用メモリ１７として別々の記憶装置を用意しても良いが、１つの記憶装置に領域を分けて設定するようにしても良い。
【００１４】
プログラム記憶装置１１に記憶されたプログラムは、メモリ１４に展開され、ＣＰＵ１３により実行されることにより、各種の手段として機能する。ＦｅｌｉＣａ通信制御プログラムは、ＦＡＬＰ制御プログラムを含み、外部機器とのＦＡＬＰ通信を実現する。コンテンツ配信プログラムは、データ記憶装置１２に格納された画像ファイル等のコンテンツを外部機器へ送信する機能を実現する。設定管理プログラムは、外部機器から受信した画像ファイルをデータ記憶装置１２に登録し、外部機器から受信した時刻情報を時刻用メモリ１７に登録する機能を実現する。コンテンツ配信装置１０のハードウェア構成自体は、既に存在する市販のＦＡＬＰ対応リーダライタそのものであり、プログラム記憶装置１１に記憶されたプログラムおよびデータ記憶装置１２に記憶されたデータに特徴がある。
【００１５】
モード切替用ＩＣカード２０は、ＦｅｌｉＣａＩＣチップ、アンテナを備え、ＦＡＬＰ通信に対応したＩＣカードである。ＦｅｌｉＣａＩＣチップは、演算処理手段、記憶手段を有しているとともに、ＦｅｌｉＣａＯＳを実装している。また、ＦｅｌｉＣａＩＣチップ内の記憶手段には、ＦｅｌｉＣａＩＣチップを一意に識別可能な製造番号であるＩＤｍが記録されている。ＦｅｌｉＣａＩＣチップは、複数の領域を持つことができるように設計されており、各領域にＩＤｍが設定される。複数の領域を持つことにより１つのＦｅｌｉＣａＩＣチップが複数のＩＤｍを有する場合でも、ＩＤｍは他のＦｅｌｉＣａＩＣチップと重複しないように設定されるため、ＩＤｍによりＦｅｌｉＣａＩＣチップを特定することができる。本実施形態では、このＩＤｍは、モード切替用ＩＣカード２０を特定する識別情報として機能する。モード切替用ＩＣカード２０は、公知のＦｅｌｉＣａＩＣカードと何ら変わるところはないが、ＦｅｌｉＣａＩＣチップに記憶されているＩＤｍをコンテンツ配信装置１０に登録することにより、モード切替用ＩＣカード２０として機能するようになる。
【００１６】
携帯型端末３０は、モバイルＦｅｌｉＣａＩＣチップを備え、ＦＡＬＰ通信に対応した端末装置であり、モバイルＦｅｌｉＣａＩＣチップを備えるとともに、ＣＰＵを有し、電子メールその他の機能を実現するプログラムを実行可能な市販の携帯電話機により実現される。モード切替用ＩＣカード２０と同様、ＦｅｌｉＣａＩＣチップ内の記憶手段には、ＦｅｌｉＣａＩＣチップを一意に識別可能な製造番号であるＩＤｍが記録されている。このＩＤｍは、携帯型端末３０を特定する識別情報として機能する。
【００１７】
（２．処理動作）
次に、図１に示したコンテンツ配信装置１０の処理概要について説明する。まず、事前にデータ記憶装置１２に、モード切替用ＩＣカード２０のＩＤｍの種別登録を行う。モード切替用ＩＣカード２０としては、設定モード切替用と、情報取得モード切替用の２種類を設定する。具体的には、設定モード切替用ＩＣカードとして用いられるモード切替用ＩＣカード２０に記憶されているＩＤｍと、それが設定モード切替用であることを示す種別情報を対応付けて登録する。また、情報取得モード切替用として用いられるモード切替用ＩＣカード２０に記憶されているＩＤｍと、それが情報取得モード切替用であることを示す種別情報を対応付けて登録する。設定モード切替用、情報取得モード切替用それぞれについて複数のモード切替用ＩＣカード２０を用いる場合は、それぞれのＩＤｍとともに種別情報を登録する。このように前準備を行うことにより、コンテンツ配信装置１０内のデータ記憶装置１２には、設定モード切替用、情報取得モード切替用のモード切替用ＩＣカード２０のＩＤｍがその種別情報と対応付けて記憶されることになる。コンテンツ配信装置１０に対するＩＤｍの種別登録は、例えば、コンテンツ配信装置１０の製造工場において出荷前に設定しておくことができる。
【００１８】
設定モード切替用、情報取得モード切替用のモード切替用ＩＣカード２０のＩＤｍがその種別情報と対応付けて記憶されることにより、設定モード切替用、情報取得モード切替用のモード切替用ＩＣカード２０によるモードの切り替えが可能となる。図２に示すように、コンテンツ配信装置１０は、通常配信モード、設定モード、情報取得モードの３つのモードを備えており、設定モード切替用、情報取得モード切替用のモード切替用ＩＣカード２０を利用してモードの切り替えが行われるようになっている。通常配信モードは、外部からの要求に応じて画像ファイルを送信するモードである。設定モードは、配信用の画像ファイルを携帯型端末３０から取得し、データ記憶装置１２に格納するモードである。情報取得モードは、携帯型端末３０からの要求に応じてログ情報を送信するモードである。
【００１９】
図３は、設定モード切替用、情報取得モード切替用のモード切替用ＩＣカード２０を用いたモードの切替処理を示すフローチャートである。コンテンツ配信装置１０は、通常の状態では、常にポーリングを行って所定の機器が付近に存在するかどうかの確認を行っている。本実施形態では、コンテンツ配信装置１０は、ＣＰＵ１３がＦｅｌｉＣａ通信制御プログラムを実行することによりポーリングを行い、モード切替用ＩＣカード２０からの応答を待つ（Ｓ１）。管理者がモード切替用ＩＣカード２０をコンテンツ配信装置１０に近付け、コンテンツ配信装置１０からのポーリングによる電波が届く範囲に達すると、モード切替用ＩＣカード２０は、アンテナによりコンテンツ配信装置１０からの電波を受信し、ＦｅｌｉＣａＩＣチップ内でポーリング信号を解釈し、自身のＩＤｍをアンテナを介してコンテンツ配信装置１０に送信する（Ｓ２）。
【００２０】
コンテンツ配信装置１０は、モード切替用ＩＣカード２０からＩＤｍを取得すると（Ｓ３）、取得したＩＤｍが、設定モード切替用であるか、情報取得モード切替用であるか、そのどちらでもないかを判定する（Ｓ４）。具体的には、ＣＰＵ１３はＩＤｍの受信を検知すると、設定管理プログラムを起動する。そして、ＣＰＵ１３が設定管理プログラムに従って、データ記憶装置１２内に設定モード切替用のＩＤｍとして登録されているＩＤｍ、情報取得モード切替用のＩＤｍとして登録されているＩＤｍの中に取得したＩＤｍと一致するものがあるかどうかを確認する。この結果、取得したＩＤｍが設定モード切替用である場合は、設定モード（Ｓ５）に、取得したＩＤｍが情報取得モード切替用である場合は、情報取得モード（Ｓ６）に、取得したＩＤｍが設定モード切替用・情報取得モード切替用のどちらのものでもない場合は、通常配信モード（Ｓ７）にモードを切り替える。図３に示したモード切替処理は、通常配信モード、設定モード、情報取得モードのいずれの場合においても常に行われている処理である。すなわち、どのモードであっても、上記Ｓ１〜Ｓ３の処理によりＩＤｍを取得した場合、コンテンツ配信装置１０は、取得したＩＤｍに対応したモードに切り替える処理を行う。
【００２１】
次に、各モードにおけるコンテンツ配信装置１０の処理動作について説明する。通常配信モードにおいては、コンテンツ配信装置１０は、図３に示したＳ１〜Ｓ３の処理によりＩＤｍを取得すると、取得したＩＤｍの種別を判別し（Ｓ４）、設定モード切替用・情報取得モード切替用のどちらでもないと判断した場合、ＣＰＵ１３は、データ記憶装置１２に格納されている画像ファイルを抽出し、Ｒ／Ｗ１５、アンテナ１６を介して送信する。ＣＰＵ１３は、Ｓ３において受信したＩＤｍと、送信した画像ファイル名と、画像ファイルを送信した日時を対応付けてログ情報としてデータ記憶装置１２の所定の領域に登録する。データ記憶装置１２に格納されたログ情報の一例を図４に示す。一方、上記ＩＤｍを送信した携帯型端末３０では、送信された画像ファイルを受信し、記憶装置に格納する。
【００２２】
図５は、設定モードにおけるコンテンツ配信装置１０の処理動作を示すフローチャートである。まず、携帯型端末３０において、管理者が、コンテンツ配信装置１０にセットしたいデータ（画像ファイルまたは時刻情報）を選択する（Ｓ１１）。画像ファイルは、携帯型端末３０内の記憶装置に格納されているので、これをディスプレイに表示し、表示された中から選択することにより送信用データの選択を行う。このような携帯型端末３０における処理は、公知の処理であるので詳細な説明は省略する。送信用データを選択した後、管理者が、送信指示を行うと、携帯型端末３０では、ＣＰＵが、選択された画像をＦｅｌｉＣａＩＣチップに渡す。そして、ＦｅｌｉＣａＩＣチップは、アンテナを介してコンテンツ配信装置１０に送信用データを送信する（Ｓ１２）。
【００２３】
コンテンツ配信装置１０は、携帯型端末３０からデータを受信する（Ｓ１３）。なお、Ｓ１２、Ｓ１３におけるデータの送受信は、ＦｅｌｉＣａ２．０に従って行われる公知のものであるので詳細な説明は省略する。次に、コンテンツ配信装置１０では、ＣＰＵ１３が、設定管理プログラムに従って、受信したデータのフォーマットを確認する（Ｓ１４）。確認の結果、受信したデータが画像ファイルである場合は、その画像ファイルを配信コンテンツとしてセットする（Ｓ１５）。具体的には、その画像ファイルをデータ記憶装置１２の所定の領域に格納する。
【００２４】
Ｓ１４における確認の結果、受信したデータがテキストデータである場合は、受信したテキストデータを時刻情報としてセットする（Ｓ１６）。具体的には、そのテキストデータを時刻用メモリ１７に記憶させる。
【００２５】
図６は、情報取得モードにおけるコンテンツ配信装置１０の処理動作を示すフローチャートである。まず、ＦｅｌｉＣａによるポーリングを行い、ＦｅｌｉＣａに対応した機器からの応答を待つ（Ｓ２１）。管理者が携帯型端末３０をコンテンツ配信装置１０に近付け、コンテンツ配信装置１０からのポーリングによる電波が届く範囲に達すると、携帯型端末３０は、コンテンツ配信装置１０のポーリングに従って、ＩＤｍをコンテンツ配信装置１０に送信する（Ｓ２２）。コンテンツ配信装置１０では、携帯型端末３０からＩＤｍを受信すると、ＣＰＵ１３が、設定管理プログラムに従って、携帯型端末３０のＦｅｌｉＣａＩＣチップを認識する（Ｓ２３）。続いて、ＣＰＵ１３は、受信したＩＤｍが、データ記憶装置１２内に登録されているＩＤｍと同一であるかどうかを判断する（Ｓ２４）。そして、同一であると判断された場合は、Ｓ２１に戻る。登録されているＩＤｍと同一である場合、モード切替用ＩＣカードが翳され続けていると考えられるので、それをチェックするためである。Ｓ２４において、受信したＩＤｍが、データ記憶装置１２内に登録されているＩＤｍと異なると判断された場合は、ＣＰＵ１３が、データ記憶装置１２内のログ情報を取得する（Ｓ２５）。そして、ＣＰＵ１３は、取得したログ情報を、電子メール本文とする識別情報とともに、Ｒ／Ｗ１５、アンテナ１６を介して携帯型端末３０に送信する（Ｓ２６）。携帯電話３０は、受信した識別情報に従って電子メールソフトを起動し、受信したログ情報を本文としてセットする（Ｓ２７）。管理者が、電子メールの宛先を入力して送信指示を行うと、携帯型端末３０は、電子メールの送信を行う（Ｓ２８）。これにより、ログ情報を携帯型端末３０以外の所定の機器に転送することができる。
【００２６】
以上、本発明の好適な実施形態について説明したが、本発明は上記実施形態に限定されず、種々の変形が可能である。例えば、上記実施形態では、コンテンツ配信装置１０とモード切替用ＩＣカード２０、携帯型端末３０の間でＦＡＬＰを利用したが、データの近距離無線通信が可能な他の技術を採用しても良い。また、上記実施形態では、モード切替用ＩＣカード２０、携帯型端末３０を特定する識別情報としてＩＤｍを用いたが、機器の特定が可能であれば、他の識別情報を用いても良い。
【００２７】
また、上記実施形態では、コンテンツ配信装置が配信するコンテンツが画像ファイルである場合を例にとって説明したが、画像としては静止画、動画のいずれも扱うことが可能である。また、コンテンツとして、画像ファイル以外にも音楽ファイル、図形データ、スケジュールデータ、電話帳データ、プログラムのいずれか１つ、またはいずれか２つ以上を組み合わせたものを用いることも可能である。複数種のデータの組み合わせとしては、例えば、画像ファイルとスケジュールデータを用いることができる。
【００２８】
また、上記実施形態では、受信したテキストデータを時刻情報として時刻用メモリに登録する例を説明したが、テキストデータとして端末番号や鍵情報を用い、所定のメモリに登録するようにしても良い。また、上記実施形態では、情報取得モードにおいてデータ記憶装置内のログ情報を取得するようにしたが、データ記憶装置内に記憶されている画像ファイル等のコンテンツを取得するようにしても良い。
【産業上の利用可能性】
【００２９】
本発明は、コンテンツ流通に関する産業、特に、画像ファイルを含むコンテンツを携帯型端末を介して流通する産業に利用可能である。
【符号の説明】
【００３０】
１０・・・コンテンツ配信装置
１１・・・プログラム記憶装置
１２・・・データ記憶装置
１３・・・ＣＰＵ
１４・・・メモリ
１５・・・Ｒ／Ｗ
１６・・・アンテナ
１７・・・時刻用メモリ
【図１】
0005471688.tif 000002
【図２】
0005471688.tif 000003
【図３】
0005471688.tif 000004
【図４】
0005471688.tif 000005
【図５】
0005471688.tif 000006
【図６】
0005471688.tif 000007